(57)【要約】【課題】滑りにくく、しっかりとつかむことができる手すりを提供する。【解決手段】左右方向に延びた手すり本体部３と、手すり本体部３の上端部から後方に突出した指掛け部４とを備える。手すり本体部３の前面上端部に、手すり本体部３の長手方向に垂直な断面において、上方に向かうほど後方に位置するように傾斜した直線状の第１回り止め面３２１が形成される。【選択図】図１
2016176262.tif 000002
【特許請求の範囲】
【請求項１】
左右方向に延びた手すり本体部と、
前記手すり本体部の上端部から後方に突出した指掛け部とを備え、
前記手すり本体部の前面上端部に、回り止め面が形成され、
前記回り止め面は、前記手すり本体部の長手方向に垂直な断面において、上方に向かうほど後方に位置するように傾斜した直線状であることを特徴とする手すり。
【請求項２】
前記手すり本体部の上端面と前記指掛け部の上面とで構成された手すり上端面は、手置き面を備え、
前記手置き面は、前記手すり本体部の長手方向に垂直な断面において、後方に向かうほど、前記回り止め面の上方への延長線から下方に離れるように前記回り止め面に対して傾斜した直線状であることを特徴とする請求項１に記載の手すり。
【請求項３】
前記指掛け部の上面は、他の回り止め面を備え、
前記他の回り止め面は、前記手すり本体部の長手方向に垂直な断面において、後方に向かうほど下方に位置するように傾斜した直線状であることを特徴とする請求項１または請求項２に記載の手すり。
【請求項４】
左右方向に延びた手すり本体部と、
前記手すり本体部の上端部から後方に突出した指掛け部とを備え、
前記指掛け部の上面は、回り止め面を備え、
前記回り止め面は、前記手すり本体部の長手方向に垂直な断面において、後方に向かうほど下方に位置するように傾斜した直線状であることを特徴とする手すり。
【請求項５】
前記手すり本体部の上端面と前記指掛け部の上面とで構成された手すり上端面は、前記回り止め面よりも前方に位置した手置き面を備え、
前記手置き面は、前記手すり本体部の長手方向に垂直な断面において、前方に向かうほど、前記回り止め面の上方への延長線から下方に離れるように前記回り止め面に対して傾斜した直線状であることを特徴とする請求項４に記載の手すり。
【請求項６】
壁と、
請求項１〜５のいずれか１項に記載の手すりとを備え、
前記手すりは、その長手方向が鉛直方向と交差するように、かつ前記指掛け部が前記壁側を向くように、前記壁に取り付けられたことを特徴とする手すりの取付構造。
【請求項７】
前記壁は、浴室の壁であることを特徴とする請求項６に記載の手すりの取付構造。
【請求項８】
前記手すりと前記壁との間に、物品を収納するための収納スペースが設けられたことを特徴とする請求項６または請求項７に記載の手すりの取付構造。
【請求項９】
前記手すりと前記壁との間に前記物品を置くための棚材が設けられ、この棚材の上方を前記収納スペースとしたことを特徴とする請求項８に記載の手すりの取付構造。
【発明の詳細な説明】
【技術分野】
【０００１】
本発明は、手すり、および手すりの取付構造に関する。
【背景技術】
【０００２】
特許文献１には、手すりが開示されている。この手すりは、その上面が手すりの長手方向に垂直な断面において円弧状に形成された手すり面になっており、使用者はこの手すり面をつかんで手すりを使用する。
【先行技術文献】
【特許文献】
【０００３】
【特許文献１】特開２００６−１２４９９３号公報
【発明の概要】
【発明が解決しようとする課題】
【０００４】
ところで、前記断面円弧状の手すり面は、手が掛かりにくく、手すりをつかんだ手が断面円弧状の手すり面に沿って回る方向に滑りやすい。
【０００５】
本発明は前記事情に鑑みてなされたものであって、その目的とするところは、滑りにくく、しっかりとつかむことができる手すりおよびその取付構造を提供することにある。
【課題を解決するための手段】
【０００６】
前記課題を解決するために本発明に係る手すりは、左右方向に延びた手すり本体部と、前記手すり本体部の上端部から後方に突出した指掛け部とを備え、前記手すり本体部の前面上端部に、回り止め面が形成され、前記回り止め面は、前記手すり本体部の長手方向に垂直な断面において、上方に向かうほど後方に位置するように傾斜した直線状であることを特徴とする。
【０００７】
また、本発明に係る手すりは、左右方向に延びた手すり本体部と、前記手すり本体部の上端部から後方に突出した指掛け部とを備え、前記指掛け部の上面は、回り止め面を備え、前記回り止め面は、前記手すり本体部の長手方向に垂直な断面において、後方に向かうほど下方に位置するように傾斜した直線状であることを特徴とする。
【０００８】
また、本発明に係る手すりの取付構造は、壁と、前記手すりとを備え、前記手すりは、その長手方向が鉛直方向と交差するように、かつ前記指掛け部が前記壁側を向くように、前記壁に取り付けられたことを特徴とする。
【発明の効果】
【０００９】
本発明に係る手すりは、指掛け部に指を掛けてしっかりとつかむことができ、滑りにくい。
【００１０】
本発明の手すりの取付構造では、使用者は、指掛け部に指を掛けて手すりをしっかりとつかむことができ、手すりに対して手が滑りにくい。
【図面の簡単な説明】
【００１１】
【図１】本実施形態の手すりの取付構造の斜視図である。
【図２】図１のＡ−Ａ線断面図である。
【図３】図３Ａは、本実施形態の手すりの滑り止め部の概略正面図である。図３Ｂは、変形例の滑り止め部の概略正面図である。図３Ｃは、他の変形例の滑り止め部の概略正面図である。
【図４】本実施形態の手すりの取付構造の分解斜視図である。
【図５】図１のＢ−Ｂ線断面図である。
【図６】図６Ａ〜図６Ｃは、本実施形態の手すりの取付構造の使用方法を説明する説明図である。
【図７】図７Ａは、本実施形態の手すりを使用して使用者が立ち上がるときの様子を示した説明図である。図７Ｂは、使用者が手すりをつかんだときの様子を示した拡大断面図である。
【図８】図８Ａ〜図８Ｄは、変形例１〜４の手すりの断面図である。
【図９】図９Ａ〜図９Ｃは、変形例５〜７の手すりの断面図である。
【図１０】滑り止め部のさらに他の変形例を示した分解斜視図である。
【発明を実施するための形態】
【００１２】
以下、添付図面に基づいて本発明の実施形態について説明する。本実施形態の手すり２の取付構造では、図１に示すように、浴室の壁１０に手すり２が取り付けられている。この手すり２の取付構造は、浴室の壁１０と、壁１０に固定された複数の支持体６と、支持体６に固定された手すり２と、複数の棚材８とを備えている。
【００１３】
複数の棚材８は、手すり２と壁１０との間に設置されている。手すり２と壁１０との間において各棚材８の上方に位置する空間は、収納スペース７０となっている。各収納スペース７０には、下方の棚材８においた物品（例えば、シャンプー剤を入れるボトルや、石けんなどの浴室小物）を収納することができる。すなわち、手すり２と壁１０との間には、物品を収納するための収納スペース７０が設けられている。
【００１４】
以下では、手すり２の長手方向を左右方向とし、手すり２を壁１０に水平に取り付けた取付状態において、手すり２の長手方向に垂直な水平方向を前後方向とする。また、前後方向のうちの手すり２側から壁１０側に向かう方向を後方、壁１０側から手すり２側に向かう方向を前方とする。
【００１５】
浴室内には、浴槽１１と、当該浴槽１１に隣り合う洗い場１２とが設置されている。浴槽１１と洗い場１２は、浴槽１１の幅方向に隣接している。
【００１６】
手すり２は、浴室の壁１０の左右方向の全長に亙って延びており、浴槽１１側と洗い場１２側とに跨るようにして取り付けられている。手すり２は、浴槽１１および洗い場１２の上方に配置されている。手すり２と壁１０の前面（以下、壁面１００という）との間には、複数の支持体６が位置しており、手すり２は壁面１００から離れている。
【００１７】
手すり２は、図２に示すように、断面縦長の手すり本体部３と、手すり本体部３の上端部から後方に突出した指掛け部４とを備えている。指掛け部４には滑り止め部５が設けられている。手すり２の上端部は、手すり本体部３の上端部と指掛け部４とで構成されており、使用者がつかむ部分となる。手すり２は、押し出し成型により形成され、手すり本体部３と指掛け部４は、一体成形されている。
【００１８】
手すり本体部３は、左右方向に延びており、手すり２の主体を構成する。手すり本体部３は、左右方向に垂直な断面において、上下方向に延びた扁平な縦長状をなしている。具体的に本実施形態の手すり本体部３は、前後方向の厚み寸法が約１５ｍｍ、上下方向の幅寸法が約８５ｍｍの扁平状の中空部材により構成されている。
【００１９】
手すり２の上端面２０は、手すり本体部３の上端面と、指掛け部４の上面４１とで構成されている。以下、手すり２の上端面２０を、手すり上端面２０という。
【００２０】
手すり上端面２０は、使用者の手を載せるための手置き面３１を備えている。本実施形態の手置き面３１は、手すり本体部３の上端面である。手置き面３１は、左右方向に垂直な断面において水平な直線状をなす平面である。
【００２１】
手すり本体部３の前面は、手置き面３１（すなわち、手すり本体部３の上端面）から順に下方に連続した、上縁面３２、手当たり面３３、および下部面３５を備えている。
【００２２】
上縁面３２は、手すり本体部３の前面の上端部である。上縁面３２は、手置き面３１から順に下方に連続した接続面３２０および回り止め面３２１を備えている。以下、接続面３２０を第１接続面３２０という。また、回り止め面３２１を第１回り止め面３２１という。
【００２３】
第１接続面３２０は、左右方向に垂直な断面において上斜め前方に向かって突となる円弧状に形成されている。
【００２４】
第１回り止め面３２１は、手すり本体部３の前面上端部に形成されている。第１回り止め面３２１は平面であって、左右方向に垂直な断面において、上方に向かうほど後方に位置するように傾斜した直線状である。
【００２５】
図２に示すように、左右方向に垂直な断面において、第１回り止め面３２１を上方に延長した仮想の直線を延長線Ｌ１としたとき、手置き面３１は後方に向かうほど延長線Ｌ１から下方に離れるように第１回り止め面３２１に対して傾斜している。
【００２６】
手当たり面３３は、使用者が手すり２の上端部をつかんだ際に、手の親指や母指球を収めるためのくぼみである。手当たり面３３は、第１回り止め面３２１の下端から下方に連続し、第１回り止め面３２１の下端よりも後方にくぼんでいる。
【００２７】
手当たり面３３の上部３４は、下方を向き、手の親指や母指球の上方への移動を規制するように構成されている。これにより、使用者が手すり２の上端部をつかんだ状態において、手指が上方に滑りにくくなる。
【００２８】
下部面３５は、手当たり面３３の下端から下方に連続した鉛直な面により構成されている。下部面３５の下端は、断面円弧状の出隅部を介して手すり本体部３の下端面に連続している。
【００２９】
図２に示す手すり２において、手すり本体部３の後面よりも後方に位置する部分が、本実施形態の指掛け部４に該当する。指掛け部４は、使用者が手すり２の上端部をつかんだ際に、指を掛けるための部分である。
【００３０】
指掛け部４は、上面４１（以下、指掛け上面４１という）と、後面４２（以下、指掛け後面４２という）と、下面４３（以下、指掛け下面４３という）とを備えている。
【００３１】
指掛け上面４１は、手置き面３１から順に後方に連続した接続面４１０および回り止め面４１１を備えている。以下、接続面４１０を第２接続面４１０という。また、回り止め面４１１を第２回り止め面４１１という。
【００３２】
第２接続面４１０は、左右方向に垂直な断面において後斜め上方に向かって突となる円弧状である。
【００３３】
第２回り止め面４１１は、平面であって、左右方向に垂直な断面において、後方に向かうほど下方に位置するように傾斜した直線状である。手置き面３１は、第２回り止め面４１１よりも前方に位置している。
【００３４】
手当たり面３３から、第１回り止め面３２１、第１接続面３２０、手置き面３１、第２接続面４１０を介して第２回り止め面４１１に亘る範囲には、屈曲した角部は存在していない。
【００３５】
図２に示すように、左右方向に垂直な断面において、第２回り止め面４１１を上方に延長した仮想の直線を延長線Ｌ２としたとき、手置き面３１は前方に向かうほど延長線Ｌ２から下方に離れるように第２回り止め面４１１に対して傾斜している。
【００３６】
指掛け後面４２は、第２回り止め面４１１の後端から下方に連続している。指掛け後面４２は、指掛け部４の後方を向く先端面であり、略鉛直である。
【００３７】
指掛け下面４３は、指掛け後面４２の下端から前方に向かって連続し、かつ手すり本体部３の後面にも連続している。指掛け下面４３は、指掛け後面４２に連続した後部４３１と、手すり本体部３の後面に連続する前部４３２とを備えている。指掛け下面４３の後部４３１は、手すり本体部３の後面に近づくほど上方に位置するように傾斜している。指掛け下面４３の前部４３２は、指掛け下面４３の後部４３１と手すり本体部３の後面とを接続する部分であり、断面円弧状をなしている。
【００３８】
指掛け部４には、滑り止め部５が設けられている。滑り止め部５は、指掛け部４の先端部に設けられており、使用者の指が指掛け部４に掛けられた状態において、指が滑るのを抑制する。具体的に滑り止め部５は、指掛け後面４２に設けられている。滑り止め部５は、指掛け上面４１および指掛け下面４３には設けられておらず、指掛け後面４２にのみ設けられている。
【００３９】
滑り止め部５は、指掛け後面４２を凹凸にした凹凸部５１により構成されている。凹凸部５１は、手すり本体部３の長手方向に平行に延びた複数の凹溝５２を有している。凹溝５２は、指掛け後面４２から凹没した溝である。凹凸部５１は、凹溝５２が上下方向に間隔をおいて並ぶことで、凹凸が繰り返し形成されている。
【００４０】
凹凸部５１は、図３Ａに示すように、手すり２の長手方向に平行に延びた複数の凹溝５２により構成されているが、例えば、図３Ｂに示すように、手すり２の長手方向に対し傾斜する方向に延びた複数の凹溝５２により構成されてもよい。
【００４１】
なお、凹溝５２は、鉛直方向に対し交差していればよいが、水平に近いほうがより効果的に滑り止めの効果を作用させることができる。また、凹凸部５１としては、例えば、凹溝５２に替えて、指掛け後面４２から突出した複数の凸条を上下方向に並べることで、凹凸を繰り返し形成してもよい。また、凹凸部５１は、図３Ｃに示すように、点状の突起５３を散在させて凹凸を形成してもよい。
【００４２】
このような構成の手すり２は、図１に示すように、指掛け部４が壁１０側に向くように、かつ、断面縦長状の手すり本体部３の上下方向が壁面１００に沿うようにして取り付けられる。手すり２は、その長手方向が鉛直方向に交差する姿勢で配置される。本実施形態の手すり２は、その長手方向が水平となる姿勢で配置されている。
【００４３】
手すり２は、複数の支持体６によって支持される。各支持体６は、図４に示すように、手すり２の長手方向に離れて設けられている。支持体６は、壁１０に固定される第１支持部６１と、手すり２に固定される第２支持部６４とを備えている。
【００４４】
第１支持部６１は、断面Ｃ字状の支持本体部６２と、支持本体部６２の後端部に設けられた壁固定部６３とを備える。壁固定部６３が壁面１００に当てられた状態で壁１０にねじ止めされることで、第１支持部６１は壁１０に固定される。
【００４５】
第２支持部６４は、図５に示すように、筒状をなした筒体部６５と、筒体部６５の前端部に設けられた手すり固定部６６とを備える。手すり２の内部には、バックアップ材７が設けられている。手すり固定部６６とバックアップ材７とは、互いにねじ止めされるように構成されており、これにより、手すり２は第２支持部６４に固定される。
【００４６】
手すり２が固定された第２支持部６４は、壁１０に固定された第１支持部６１に連結される。施工者は、手すり２が固定された第２支持部６４の筒体部６５の内部に第１支持部６１を挿入し、この状態で、筒体部６５の下面を第１支持部６１にねじ止めすることで、第２支持部６４と第１支持部６１を連結する。
【００４７】
手すり２と壁１０との間に位置する棚材８は、図４に示すように、左右方向に延びた複数の線材８１を前後方向に間隔を置いて配置し、各線材８１を複数の保持材８２で連結することで構成される。
【００４８】
棚材８は、複数の受け体９により支持される。
【００４９】
複数の受け体９の半数は、手すり本体部３の後面にねじ止めにより取り付けられる。手すり本体部３の後面に取り付けられた複数の受け体９は、それぞれが手すり２の長手方向に離れて配置される。また、複数の受け体９のうちの残りの半数は、壁１０にねじ止めにより取り付けられる。壁１０に取り付けられた複数の受け体９は、それぞれが手すり２の長手方向に離れて配置される。棚材８は、手すり２と壁１０に取り付けられた、これら複数の受け体９に載置されることで、手すり２と壁１０の間に設けられる。そして、このように設けられた各棚材８の上方の空間が、前述した収納スペース７０となる。
【００５０】
＜使用方法＞
手すり２は、例えば、次のように使用される。洗い場１２の椅子に座った使用者は、図６Ａに示すように、手を伸ばして手すり２の上端部をつかむ。次に使用者は、この手すり２を強くつかんで立ち上がる。この後、使用者は、図６Ｂに示すように、手すり２をつかみながら、当該手すり２に沿って浴槽１１側に移動する。この使用者は、手すり２の上端部を強くつかみながら脚を上げて、浴槽１１の洗い場１２側の側壁を跨ぐ。この後、浴槽１１内に移動した使用者は、図６Ｃに示すように、手すり２の上端部をつかみながら屈み込んで、浴槽１１内の湯に身を沈め、その後、手すり２を放す。
【００５１】
このように、本実施形態の手すり２は、浴室の壁１０において、浴槽１１側と洗い場１２側とに跨って取り付けられるため、特に、高齢者等が立ち上がったり浴槽１１を跨いだりする動作に対し、効果的に補助することができる。
【００５２】
図７Ａに示すように使用者が立ち上がったり座ったりするとき、使用者は、例えば図７Ｂに示すように、親指を除く四指を指掛け部４に掛け、親指や母子球を手当たり面３３に当てて手すり２の上端部をつかむ。
【００５３】
このように使用者が手すり２をつかんだとき、手の平や親指は、断面直線状の第１回り止め面３２１に当たりやすい。この手の平や親指は、第１回り止め面３２１に掛かりやすく、このため手は手すり２に対して滑りにくい。すなわち、第１回り止め面３２１が断面円弧状である場合と比較して、手すり２をつかんだ手が、前後に回る方向に滑りにくい。
【００５４】
また、使用者が手すり２をつかんだとき、手の平は、断面直線状の手置き面３１に当たりやすい。この手の平は、手置き面３１に掛かりやすく、このため手は手すり２に対して滑りにくい。さらに、親指を除く四指の根本部分は、断面直線状の第２回り止め面４１１に当たりやすい。このため、親指を除く四指の根本部分は第２回り止め面４１１に掛かりやすく、手は手すり２に対して滑りにくい。また、親指を除く四指が指掛け部４の先端部に設けられた滑り止め部５に当たって滑りにくい。
【００５５】
＜実施形態のまとめ＞
以上説明した本実施形態の手すり２は、以下の特徴を有する。左右方向に延びた手すり本体部３と、手すり本体部３の上端部から後方に突出した指掛け部４とを備える。手すり本体部３の前面上端部に、回り止め面３２１（第１回り止め面３２１）が形成されている。回り止め面３２１は、手すり本体部３の長手方向に垂直な断面において、上方に向かうほど後方に位置するように傾斜した直線状である。ここで、指掛け部４は、手すり本体部３の最も上方の位置から下方に向かう一定の領域で、かつ手すり２を上方からつかんだときに、親指を除く四指がかかる位置に設けてあればよい。
【００５６】
使用者がこの手すり２をつかむ場合、指掛け部４に指を掛けることができる。また、この際、使用者は、手の平や親指を、断面直線状の回り止め面３２１に当てることができる。このようにすると、手の平や親指が断面直線状の回り止め面３２１に掛かり、手すり２に対して手が滑りにくくなる。従って、使用者は、手すり２に対して手が滑ることを抑制しながら、手すり２をしっかりとつかむことができる。また、回り止め面３２１は、上方に向かうほど後方に位置するように傾斜するので、使用者が手すり２の前側から指掛け部４に指を掛ける際に、手が手すり２の上端部の前端部に当たりにくくなる。このため、使用者は指掛け部４に指を掛けやすくなる。
【００５７】
さらに本実施形態の手すり２は、以下の付加的な特徴を有する。手すり本体部３の上端面と指掛け部４の上面４１とで構成された手すり上端面２０は、手置き面３１を備える。手置き面３１は、手すり本体部３の長手方向に垂直な断面において、後方に向かうほど、回り止め面３２１の上方への延長線Ｌ１から下方に離れるように回り止め面３２１に対して傾斜した直線状である。
【００５８】
使用者がこの手すり２をつかむ場合、手の平を断面直線状の手置き面３１に当てることができる。このようにすると、手の平が断面直線状の手置き面３１に掛かり、手は手すり２に対して一層滑りにくくなる。
【００５９】
さらに本実施形態の手すり２は、以下の付加的な特徴を有する。指掛け部４の上面４１は、他の回り止め面４１１（第２回り止め面４１１）を備える。回り止め面４１１は、手すり本体部３の長手方向に垂直な断面において、後方に向かうほど下方に位置するように傾斜した直線状である。
【００６０】
使用者がこの手すり２をつかむ場合、親指を除く四指の根本部分を、断面直線状の回り止め面４１１に当てることができる。このようにすると、親指を除く四指の根本部分が、断面直線状の回り止め面４１１に掛かり、手すり２に対して手が一層滑りにくくなる。また、回り止め面４１１が、後方に向かうほど下方に位置するように傾斜するので、使用者が手すり２の前側から指掛け部４に指を掛ける際に、手が指掛け部４の上面後端部に当たりにくくなる。このため、使用者は指掛け部４に指を掛けやすくなる。また、回り止め面４１１が、後方に向かうほど下方に位置するように傾斜するので、回り止め面４１１に付着した水滴が、後方に排出されやすくなる。このため、回り止め面４１１を備えた指掛け部４に掛けた指は、一層滑りにくくなる。
【００６１】
また、本実施形態の手すり２は、以下の特徴を有する。左右方向に延びた手すり本体部３と、手すり本体部３の上端部から後方に突出した指掛け部４とを備える。指掛け部４の上面４１は、回り止め面４１１（第２回り止め面４１１）を備える。回り止め面４１１は、手すり本体部３の長手方向に垂直な断面において、後方に向かうほど下方に位置するように傾斜した直線状である。ここで、指掛け部４は、手すり本体部３の最も上方の位置から下方に向かう一定の領域で、かつ手すり２を上方からつかんだときに、親指を除く四指がかかる位置に設けてあればよい。
【００６２】
使用者がこの手すり２をつかむ場合、親指を除く四指の根本部分を、断面直線状の回り止め面４１１に当てることができる。このようにすると、親指を除く四指の根本部分が、断面直線状の回り止め面４１１に掛かり、手すり２に対して手が滑りにくくなる。従って、使用者は手すり２に対して手が滑ることを抑制しながら、手すり２をしっかりとつかむことができる。
【００６３】
さらに本実施形態の手すり２は、以下の付加的な特徴を有する。手すり本体部３の上端面と指掛け部４の上面４１とで構成された手すり上端面２０は、回り止め面４１１よりも前方に位置した手置き面３１を備える。手置き面３１は、手すり本体部３の長手方向に垂直な断面において、前方に向かうほど、回り止め面４１１の上方への延長線Ｌ２から下方に離れるように回り止め面４１１に対して傾斜した直線状である。
【００６４】
使用者がこの手すり２をつかむ場合、手の平を断面直線状の手置き面３１に当てることができる。このようにすると、手の平が断面直線状の手置き面３１に掛かり、手は手すり２に対して一層滑りにくくなる。
【００６５】
また、本実施形態の手すり２の取付構造は、以下の特徴を有している。手すり２の取付構造は、壁１０と、前記特徴を有する手すり２とを備える。手すり２は、その長手方向が鉛直方向と交差するように、かつ指掛け部４が壁１０側を向くように、壁１０に取り付けられる。
【００６６】
この特徴を有する手すり２の取付構造では、使用者は手すり２に対して手が滑ることを抑制しながら、手すり２をしっかりとつかむことができる。
【００６７】
さらに本実施形態の手すり２の取付構造は、以下の付加的な特徴を有する。壁１０は、浴室の壁である。
【００６８】
この特徴を有する手すり２の取付構造では、使用者は、浴室に設けられて水が掛かりやすい手すり２を、手すり２に対して手が滑ることを抑制しながらしっかりとつかむことができる。
【００６９】
さらに本実施形態の手すり２の取付構造は、以下の付加的な特徴を有する。手すり２と壁１０との間に、物品を収納するための収納スペース７０が設けられる。
【００７０】
この特徴を有する手すり２の取付構造では、手すり２と壁１０との間に、物品を収納できる。
【００７１】
また、一般に、使用者は、手すり２をつかんで立ち上がるとき、図７Ａに示すように、身体を手すり２に近付ける傾向にある。このとき、頭部が壁面１００に近接することになる。ここで、本実施形態の手すり２の取付構造では、壁面１００と手すり２との間に物品を収納するための収納スペース７０が設けられており、手すり２と壁面１００との間には一定以上の間隔が設けられる。このため、前記立ち上がりの際に使用者の頭部は、壁面１００に接触しにくくなっている。
【００７２】
さらに本実施形態の手すり２の取付構造は、以下の付加的な特徴を有する。手すり２と壁１０との間に物品を置くための棚材８が設けられ、この棚材８の上方を収納スペース７０とする。
【００７３】
この特徴を有する手すり２の取付構造では、棚材８に物品を置いて、手すり２と壁１０との間の収納スペース７０に物品を収納できる。
【００７４】
なお、本実施形態の第１回り止め面３２１は、第１接続面３２０を介して手置き面３１に繋がっているが、直接手置き面３１に繋がってもよい。また、本実施形態の手置き面３１は、水平であるが、水平に対して傾斜していてもよい。また、本実施形態の第２回り止め面４１１は、第２接続面４１０を介して手置き面３１に繋がっているが、直接手置き面３１に繋がってもよい。
【００７５】
また、手すり２と壁１０との間には、棚材８に替えて、例えば上方に開口した箱状の収納部材が設けられてもよい。また、棚材８を省略して、手すり２と壁１０との間を収納スペース７０として利用してもよい。また、手すり２と壁１０との間には、収納スペース７０が設けられなくてもよい。
【００７６】
＜変形例＞
以下、手すり２の変形例１〜６について説明する。なお、変形例１では、前記実施形態の構成に対応する構成について、同符号の末尾に「ａ」を付して説明を省略し、前記実施形態と異なる部分について説明する。同様に、変形例２の構成には同符号の末尾に「ｂ」を、変形例３の構成には同符号の末尾に「ｃ」を、変形例４の構成には同符号の末尾に「ｄ」を付す。また、変形例５の構成には同符号の末尾に「ｅ」を、変形例６の構成には同符号の末尾に「ｆ」を、変形例７の構成には同符号の末尾に「ｇ」を付す。
【００７７】
変形例１の手すり２ａは、図８Ａに示すように、手当たり面３３ａと上縁面３２ａとの境界の曲率半径が、前記実施形態よりも小さい。また、手当たり面３３ａは、奥面の曲率半径が前記実施形態よりも小さく、親指は収まるが母子球は収まらない程度の大きさに形成されている。
【００７８】
変形例２の手すり２ｂは、図８Ｂに示すように、上縁面３２ｂが断面円弧状をなしており、断面直線状の第１の回り止め面３２１を備えていない。上縁面３２ｂと手当たり面３３ｂは連続しており、外観上境界が現れない。また、手当たり面３３ｂの下端部は、鉛直下方に延びており、下部面３５ｂに連続している。手当たり面３３ｂの下端部と下部面３５ｂは、外観上境界が現れず、両者で鉛直な面を構成している。
【００７９】
変形例３の手すり２ｃは、手当たり面３３ｃと上縁面３２ｃの境界の曲率半径が、前記実施形態よりも小さい。また、手当たり面３３ｃは、断面横倒し略Ｌ字状をなしており、その下端が下部面３５ｃに連続している。変形例２と同様、手当たり面３３ｃの下端部と下部面３５ｃとの境界は、外観上現れず、手当たり面３３ｃの下端部と下部面３５ｃとで鉛直な面を構成している。
【００８０】
変形例４の手すり２ｄは、図８Ｄに示すように、手すり本体部３ｄの下部面３５ｄが前方に膨らむように円弧状をなしている。また、手当たり面３３ｄは、奥面の曲率半径が本実施形態よりも小さく、親指は収まるが母子球は収まらない程度の大きさに形成されている。
【００８１】
変形例５の手すり２ｅは、図９Ａに示すように、指掛け上面４１ｅが断面円弧状であり、断面直線状の第２回り止め面４１１を備えていない。
【００８２】
変形例６の手すり２ｆは、図９Ｂに示すように、指掛け上面４１ｆと指掛け後面４２ｆが同じ曲率半径で円弧状に連続しており、断面直線状の第２回り止め面４１１を備えていない。指掛け上面４１ｆと指掛け後面４２ｆとの明確な境界は存在しないが、上を向く面が指掛け上面４１ｆに該当し、後方を向く面が指掛け後面４２ｆに該当する。
【００８３】
変形例６の手すり２ｆは、手すり本体部３ｆの長手方向に垂直な断面において縦長状をなしているが、扁平状ではない。また、手すり本体部３ｆの前面には、手当たり面３３は設けられていない。
【００８４】
変形例７の手すり２ｇは、図９Ｃに示すように滑り止め部５を備えていない。
【００８５】
なお、前記実施形態の滑り止め部５および変形例１〜６の滑り止め部５ａ〜５ｆは、表面を凹凸にすることで形成されているが、一体成形による凹凸成形に限らず、切削加工等の後加工をして形成してもよい。また、滑り止め部５、５ａ〜５ｆは、例えば、図１０に示すように、ゴム等の摩擦係数が大きいシート材、あるいは表面に凹凸が形成されたシート材であって、指掛け部４の先端部に貼着されるものであってもよい。
【００８６】
また、前記実施形態の手すり２、および変形例１〜７の手すり２ａ〜２ｇは、例えば、部屋の壁や、階段の側方の壁に取り付けられてもよい。また、設置状態の手すり２、２ａ〜２ｇは、その左右方向が、鉛直方向に平行でなければよく、鉛直方向に対して交差していればよい。
【符号の説明】
【００８７】
Ｌ１  延長線
Ｌ２  延長線
１０  壁
２  手すり
２０  手すり上端面
３  手すり本体部
３１  手置き面
３２１  回り止め面（第１回り止め面）
４  指掛け部
４１  指掛け部の上面（指掛け上面）
４１１  他の回り止め面（第２回り止め面）
【図１】
2016176262.tif 000003
【図２】
2016176262.tif 000004
【図３】
2016176262.tif 000005
【図４】
2016176262.tif 000006
【図５】
2016176262.tif 000007
【図６】
2016176262.tif 000008
【図７】
2016176262.tif 000009
【図８】
2016176262.tif 000010
【図９】
2016176262.tif 000011
【図１０】
2016176262.tif 000012